(57)【要約】【課題】チューブから下部連座を外れにくくする。【解決手段】  チューブ５内に電極材料の原料と希硫酸とを混練したスラリーを充填するクラッド式極板の製造方法であって、チューブ５の一端開口に嵌入される下部連座９とチューブ５に挿通された芯金６とを係合させて、下部連座９が芯金６から外れるのを規制する係合工程を備えている。【選択図】図４
2016103348.tif 000002
【特許請求の範囲】
【請求項１】
チューブ内に電極材料が充填されたクラッド式極板の製造方法であって、
前記チューブの一端開口に嵌入される嵌入部材と前記チューブ内に挿通された芯金とを係合させて、前記嵌入部材が前記芯金から外れるのを規制する係合工程を備えていることを特徴とするクラッド式極板の製造方法。
【請求項２】
前記嵌入部材は、貫通孔と、前記貫通孔を封口する封口物と、を有しており、
前記チューブの前記一端開口に嵌入された前記嵌入部材の前記貫通孔から前記チューブ内へ前記電極材料の原料を充填する充填工程と、
前記充填工程の後、前記嵌入部材の前記貫通孔を前記封口物により封口する封口工程と、を備え、
前記封口工程において、前記嵌入部材の前記封口物と前記芯金とを係合させて、前記係合工程を兼ねることを特徴とする請求項１に記載のクラッド式極板の製造方法。
【請求項３】
前記封口工程において、前記嵌入部材の少なくとも一部を融解させ、融解物で前記貫通孔を封口しつつ、前記融解物を前記芯金の嵌合部に接触させた状態で、前記融解物を固化させて前記封口物を形成し、前記芯金と前記嵌入部材の前記封口物とを嵌合させることを特徴とする請求項２に記載のクラッド式極板の製造方法。
【請求項４】
前記嵌入部材が前記チューブに嵌入されて、前記芯金の前記嵌合部が前記嵌入部材の前記貫通孔内に位置する状態において、前記封口工程が行われることを特徴とする請求項３に記載のクラッド式極板の製造方法。
【請求項５】
前記チューブの前記一端開口に前記嵌入部材を嵌入させる嵌入工程を備え、
前記嵌入工程において、前記嵌入部材と前記芯金とを係合させて、前記係合工程を兼ねることを特徴とする請求項１に記載のクラッド式極板の製造方法。
【請求項６】
チューブ内に電極材料が充填されたクラッド式極板を形成する極板形成工程を備え、
前記極板形成工程が、前記チューブの一端開口に嵌入される嵌入部材と前記チューブ内に挿通された芯金とを係合させて、前記嵌入部材が前記芯金から外れるのを規制する係合工程を備えていることを特徴とする鉛蓄電池の製造方法。
【請求項７】
電極材料が充填されたチューブと、
前記チューブ内に挿通された芯金と、
前記チューブの一端開口に嵌入される嵌入部材と、を備え、
前記嵌入部材と前記芯金とを係合させて、前記嵌入部材が前記芯金から外れるのを規制することを特徴とするクラッド式極板。
【発明の詳細な説明】
【技術分野】
【０００１】
本発明は、鉛蓄電池のクラッド式極板に関する。
【背景技術】
【０００２】
例えば、フォークリフトのようなサイクル用途の鉛蓄電池で使用されているクラッド式極板を製造する際には、ガラス繊維などからなる多孔性の筒状のチューブ内に鉛合金製の芯金を通して、チューブと芯金との間に電極材料の原料を充填した後、チューブの充填口を封止している。
【０００３】
チューブ内に電極材料の原料を充填する方法としては、振動や衝撃を与えながら電極材料の原料をチューブ内に充填する乾式充填法（例えば、特許文献１参照）と、電極材料の原料と希硫酸とを混練したペースト（スラリー）にしてチューブ内に充填する湿式充填法（例えば、特許文献２参照）とが挙げられる。
【先行技術文献】
【特許文献】
【０００４】
【特許文献１】特開昭５７−１２８４６４号公報（図３）
【特許文献２】特開平８−１７１９０６号公報（図１）
【発明の概要】
【発明が解決しようとする課題】
【０００５】
特許文献１に記載の乾式充填法、及び、特許文献２に記載の湿式充填法のいずれにおいても、チューブの一端開口を開放させた状態で、この開口から電極材料を充填した後、チューブの上記開口に嵌入部材（特許文献１の下部連座に相当）を嵌入している。このとき、チューブに嵌入部材を嵌入しただけでは、チューブと嵌入部材との接続強度が十分ではない場合があり、このような場合には、チューブの内周面と嵌入部材の外周面とを例えば超音波溶着などにより接続することが考えられる。しかしながら、チューブの内周面と嵌入部材の外周面との隙間に電極材料の原料が入り込み、チューブから嵌入部材が外れやすいことを知見した。
【０００６】
そこで、本発明は上記知見に基づいて完成されたものであって、チューブから嵌入部材を外れにくくすることを目的とする。
【課題を解決するための手段】
【０００７】
本発明のクラッド式極板の製造方法は、チューブ内に電極材料が充填されたクラッド式極板の製造方法であって、前記チューブの一端開口に嵌入される嵌入部材と前記チューブ内に挿通された芯金とを係合させて、前記嵌入部材が前記芯金から外れるのを規制する係合工程を備えている。
【発明の効果】
【０００８】
本発明のクラッド式極板の製造方法によると、嵌入部材と芯金とを係合させて、嵌入部材が芯金から外れるのを規制することで、チューブから嵌入部材を外れにくくすることができる。
【図面の簡単な説明】
【０００９】
【図１】本発明の一実施形態に係る鉛蓄電池の斜視図である
【図２】正極板の正面図である
【図３】図２のＩＩＩ−ＩＩＩ線断面図であり、１本のチューブの断面図である
【図４】正極板形成工程の模式的な工程図である
【図５】変形例１における正極板の模式的な断面図である
【図６】変形例２における正極板の模式的な断面図である
【図７】変形例３における正極板の模式的な断面図である
【図８】変形例４における正極板の模式的な断面図である
【発明を実施するための形態】
【００１０】
以下、本発明に係る鉛蓄電池及びこれに用いられるクラッド式極板の一実施形態について説明する。
【００１１】
本実施形態のクラッド式極板の製造方法は、チューブ内に電極材料が充填されたクラッド式極板の製造方法であって、前記チューブの一端開口に嵌入される嵌入部材と前記チューブ内に挿通された芯金とを係合させて、前記嵌入部材が前記芯金から外れるのを規制する係合工程を備えている。本実施形態のクラッド式極板の製造方法によると、嵌入部材と芯金とを係合させて、嵌入部材が芯金から外れるのを規制することで、チューブから嵌入部材を外れにくくすることができる。
【００１２】
また、前記嵌入部材は、貫通孔と、前記貫通孔を封口する封口物と、を有しており、前記チューブの前記一端開口に嵌入された前記嵌入部材の前記貫通孔から前記チューブ内へ前記スラリーを充填する充填工程と、前記充填工程の後、前記嵌入部材の前記貫通孔を前記封口物により封口する封口工程と、を備え、前記封口工程において、前記嵌入部材の前記封口物と前記芯金とを係合させて、前記係合工程を兼ねることが好ましい。これによると、嵌入部材の貫通孔を封口する際に合わせて嵌入部材と芯金とを係合させているため、製造工程を簡略化することができ、且つ、製造時間を短縮することができる。
【００１３】
このとき、前記封口工程において、前記嵌入部材の少なくとも一部を融解させ、融解物で前記貫通孔を封口しつつ、前記融解物を前記芯金の嵌合部に接触させた状態で、前記融解物を固化させて前記封口物を形成し、前記芯金と前記嵌入部材の前記封口物とを嵌合させることが好ましい。これによると、封口物を別に作製する必要がなく、材料費を低減することができる。また、嵌入部材を融解後に固化させるだけで、芯金の嵌合部に嵌合される封口物を容易に形成することができる。
【００１４】
加えて、前記嵌入部材が前記チューブに嵌入されて、前記芯金の前記嵌合部が前記嵌入部材の前記貫通孔内に位置する状態において、前記封口工程が行われてもよい。これによると、貫通孔を封口する際に、封口物と芯金とをより確実に係合させることができる。
【００１５】
また、前記チューブの前記一端開口に前記嵌入部材を嵌入させる嵌入工程を備え、前記嵌入工程において、前記嵌入部材と前記芯金とを係合させて、前記係合工程を兼ねてもよい。これによると、嵌入部材を嵌入する際に合わせて嵌入部材と芯金とを係合させているため、製造工程を簡略化することができ、且つ、製造時間を短縮することができる。
【００１６】
本実施形態の鉛蓄電池の製造方法は、チューブ内に電極材料が充填されたクラッド式極板を形成する極板形成工程を備え、前記極板形成工程が、前記チューブの一端開口に嵌入される嵌入部材と前記チューブ内に挿通された芯金とを係合させて、前記嵌入部材が前記芯金から外れるのを規制する係合工程を備えている。本実施形態の鉛蓄電池の製造方法によると、嵌入部材と芯金とを係合させて、嵌入部材が芯金から外れるのを規制することで、チューブから嵌入部材を外れにくくすることができる。これにより、チューブから電極材料が漏れ出しにくくなり、鉛蓄電池の寿命を向上させることができる。
【００１７】
本実施形態の鉛蓄電池は、電極材料が充填されたチューブと、前記チューブ内に挿通された芯金と、前記チューブの一端開口に嵌入される嵌入部材と、を備え、前記嵌入部材と前記芯金とを係合させて、前記嵌入部材が前記芯金から外れるのを規制する。本実施形態の鉛蓄電池によると、本実施形態の鉛蓄電池によると、嵌入部材と芯金とを係合させて、嵌入部材が芯金から外れるのを規制することで、チューブから嵌入部材を外れにくくすることができる。これにより、チューブから電極材料が漏れ出しにくくなり、鉛蓄電池の寿命を向上させることができる。
【００１８】
本発明の一実施形態について図面を参照して説明する。本実施形態における鉛蓄電池は、正極板にクラッド式の極板を用いており、例えば、フォークリフトのようなサイクル用途で使用される。図１に示すように、鉛蓄電池１は、図示しない極板群が電槽２に収容されており、電槽２の開口が蓋部材３により封止されている。この鉛蓄電池１は、電槽２の底面が略水平面上に載置されて使用され、鉛直方向に延在する縦長形状をしている。
【００１９】
極板群は、正極板４（図２参照）と、負極板と、これら正負の極板の間に介在する不織布状または多孔性のセパレータとを有している。そして、極板群は、希硫酸を主成分とする電解液に浸漬されている。
【００２０】
以下においては、正極板４について詳細に説明し、負極板及びセパレータについては、目的、用途に応じて適宜公知のものを選択可能であり、その説明を省略する。
【００２１】
図２、図３に示すように、正極板４は、クラッド式の極板であり、本実施形態においては湿式充填法により作製されている。正極板４は、活物質が充填された複数（本実施形態では１５本）のチューブ５と、複数のチューブ５内をそれぞれ挿通する複数の芯金６と、複数のチューブ５の上端に接続された上部連座８と、複数のチューブ５の下端に接続された下部連座９と、を有する。
【００２２】
上部連座８は、鉛合金からなる板状をしており、上方に突出した極板耳１０を有する。上部連座８は、その下面８ａから複数の芯金６が延びている。複数の芯金６は、鉛合金からなる細長い円柱状をしており、等間隔に配列されている。上部連座８及び芯金６の合金組成は、特に限定されないが、例えば、Ｐｂ−Ｃａ系合金やＰｂ−Ｓｂ系合金が用いられることが多い。また、上部連座８及び芯金６は、一体成型されてもよいし、別部材で成形されたものを溶接などで一体にしてもよい。
【００２３】
上部連座８の下面８ａには、チューブ５を装着するための樹脂部材１１が形成されている。樹脂部材１１は、芯金６の上端近傍の周囲を取り囲むようにして下方に突出している。樹脂部材１１にはチューブ５が装着され、これにより、芯金６がチューブ５の径方向の略中心に配置される。
【００２４】
チューブ５は、ガラス繊維などからなる多孔性の円筒状をしている。チューブ５の長さは、鉛蓄電池１の大きさによって異なるが、６００ｍｍ程度のものまで存在する。チューブ５内には、芯金６が径方向のほぼ中心に位置した状態で、活物質が充填されている。上述したように、チューブ５の上端開口を上部連座８に形成された樹脂部材１１に装着することで、上部連座８に対してチューブ５が固定され、且つ、チューブ５の上端開口が封止される。
【００２５】
下部連座９は、樹脂材料からなり、複数の突出部１２が形成されている。複数の突出部１２は、上方に突出しており、複数の芯金６の配列と同じ間隔で配置されている。そして、下部連座９の突出部１２を複数のチューブ５の下端開口に嵌入することで、チューブ５に対して下部連座９が接続され、且つ、チューブ５の下端開口が封止される。このように、複数のチューブ５は、それぞれの上端を１つの上部連座８に接続されるとともに、それぞれの下端を１つの下部連座９に接続されている。
【００２６】
ここで、図３に示すように、芯金６は、下部連座９側の先端に凹部１８が形成されている。芯金６の凹部１８は、周方向の全周に亘って形成されている。下部連座９には、樹脂材料が融解した後に固化した融解痕１３が形成されている。なお、下部連座９の融解痕１３と融解痕１３以外の部分は同じ材質であるが、図３において、説明のわかりやすさのために、異なるハッチングを付している。
【００２７】
融解痕１３は、後述する封口工程にて下部連座９の貫通孔１５を封止した痕である。融解痕１３は、芯金６の凹部１８に接触している。この融解痕１３が、芯金６の凹部１８と接触した状態で固化していることで、融解痕１３には、芯金６の凹部１８と嵌合する凸部１９が形成されている。そして、芯金６の凹部１８と融解痕１３の凸部１９とが嵌合することで、下部連座９と芯金６とを固定して、下部連座９が芯金６から外れるのを規制している。このように、下部連座９が芯金６から外れるのを規制することで、チューブ５から下部連座９を外れにくくすることができる。
【００２８】
次に、鉛蓄電池の製造工程、特にその一部の工程である正極板形成工程について図４を参照して説明する。なお、図４においては、正極板のチューブの本数が２本の模式図として示している。また、上部連座８に芯金６を連結する工程、及び、樹脂部材１１を形成する工程については省略し、これら以降の工程について説明する。
【００２９】
図４（ａ）に示すように、まず、電池としての使用状態とは逆に、芯金６が上方を向くように上部連座８を配置する。そして、チューブ５内に芯金６を挿通しながら、チューブ５の一端の開口を上部連座８の樹脂部材１１に嵌め込むように装着する。これにより、上部連座８に対してチューブ５を接続し、且つ、チューブ５の開口を封止する。
【００３０】
その後、図４（ｂ）に示すように、下部連座９の突出部１２をチューブ５の開口に嵌入して、チューブ５に対して下部連座９を接続する（嵌入工程）。このとき、下部連座９には、芯金６の本数と同じ数であり、チューブ５の延在方向（鉛直方向）に沿った延長線上に延在した貫通孔１５が形成されている。下部連座９の貫通孔１５は、上端から下方に向かうにつれて径が小さくなるテーパ部１５ａと、テーパ部１５ａの最小径の端部と同径のまま下端まで延在する円筒部１５ｂと、を有する。そして、上記嵌入工程において、芯金６の凹部１８が貫通孔１５の円筒部１５ｂ内に位置するまで下部連座９を嵌入している。
【００３１】
そして、図４（ｃ）に示すように、下部連座９の貫通孔１５のテーパ部１５ａに、ノズル２０を装着し、活物質の原料と希硫酸とを混練したスラリーをノズル２０からチューブ５内へ充填する（充填工程）。なお、貫通孔１５のテーパ部１５ａは、上記ノズル２０を装着可能な形状となっている。
【００３２】
続いて、図４（ｄ）に示すように、下部連座９に対して上方から圧力をかけながら熱板２１を押し当てる。すると、下部連座９の上部（電池としての使用状態では下部となる）が融解して、その融解物１７は貫通孔１５に移動して、芯金６の凹部１８に接触する。その後、下部連座９から熱板２１を取り外して、融解物１７を固化させることで、凹部１８と嵌合する凸部１９を有する融解痕１３（図３参照）が形成される。これにより、貫通孔１５が封口されるとともに、芯金６の凹部１８と融解痕１３の凸部１９とが嵌合することで、下部連座９と芯金６とが固定される（封口及び係合工程）。なお、熱板２１を押し当てて、熱板２１を下方に移動させる長さとしては、融解物１７が芯金６の凹部１８に接触し、且つ、融解物１７により貫通孔１５を封口できる長さであればよく、一例として、テーパ部１５ａの鉛直方向の長さ分だけ熱板２１を移動させればよい。
【００３３】
次に、封口工程にて形成された完成前の正極板を、温度・湿度が熟成に適した場所に搬送して、チューブ５内に充填されたスラリーを乾燥・熟成させて、未化成の正極板を完成させる。
【００３４】
その後、鉛蓄電池の製造工程として、セパレータを介して未化成の正極板と負極板とを交互に組み合わせて、未化成の極板群を作成する。その後、未化成の極板群を電槽に挿入し、極板群の溶接、蓋の溶接及び端子の溶接を行った後、希硫酸を主成分とする電解液を注液し、電槽化成を行う。このようにして、本実施形態に係る鉛蓄電池を製造することができる。この化成後の鉛蓄電池において、湿式充填法にて作製したクラッド式極板は、チューブ５の下部連座９が嵌入された下端側の活物質密度が上端側の活物質密度以上となっている。また、化成後とは、使用できる（放電できる）ようになった状態から後であり、製品としての使用、未使用にはかかわらない。
【００３５】
本実施形態の製造方法によると、下部連座９と芯金６とを係合させて、下部連座９が芯金６から外れるのを規制することで、チューブ５から下部連座９を外れにくくすることができる。したがって、鉛蓄電池１として使用した場合に、チューブ５から下部連座９が外れて活物質が漏れ出しにくくなり、鉛蓄電池１の寿命を向上させることができる。
【００３６】
また、本実施形態のように下部連座９と芯金６とを係合させる構成ではなく、従来のようにチューブの内周面と嵌入部材の外周面とを溶着させる場合、乾式充填法とは異なり湿式充填法ではスラリーが水分を含んでいるため、溶着しづらい。そこで、チューブを乾燥させた後に上記溶着する工程を行うことがあった。この乾燥させる工程は、熟成工程も兼ねていることが多く、極板形成において必須の工程ではあった。しかしながら、乾燥させる工程には数時間を要しており、他の工程の時間に比べて非常に長いため、乾燥させる工程を所望のタイミングで行える製造方法が望まれていた。そこで、本実施形態の製造方法によると、上記溶着させる工程を不要にすることが可能となり、乾燥させる工程を所望のタイミングで行うことが可能となる。これにより、例えばリードタイムを短くすることが可能になるなど、工程管理の最適化が可能となる。
【００３７】
また、下部連座９の貫通孔１５を封口する際に合わせて、芯金６の凹部１８と下部連座９の凸部１９とを嵌合させているため、製造工程を簡略化することができ、且つ、製造時間を短縮することができる。さらに、このとき、下部連座９を融解させた後に固化させることで、下部連座９の融解痕１３により凸部１９を形成しているため、凸部１９を有する貫通孔１５の封口物を別に作製する必要がなく、材料費を低減することができる。また、下部連座９を融解させるだけで、芯金６の凹部１８と嵌合する凸部１９を容易に形成することができる。
【００３８】
また、充填工程を行う際に、スラリーが吐出されるノズル２０を、チューブ５ではなく下部連座９に装着していることで、ノズルの邪魔になることなく、芯金６を下部連座９側に延ばすことができる。さらに、ノズル２０を貫通孔１５の上半分のテーパ部１５ａに装着することで、芯金６の凹部１８を貫通孔１５の下半分の円筒部１５ｂ内まで延ばすことができる。これにより、芯金６の凹部１８が下部連座９の貫通孔１５内に位置しているため、貫通孔１５を封口する際に、融解痕１３と芯金６の凹部１８とをより確実に嵌合させることができる。
【００３９】
また、仮に、電池として使用していて、チューブ５から下部連座９が外れた際に、チューブ５の下部連座９が外れた一端は下方を向いているため、チューブ５から活物質が漏れ出しやすい。そこで、チューブ５の下部連座９が嵌入された一端を下方にする鉛蓄電池１の使用方法では、上述した製造方法にて作製したクラッド式の正極板４を用いることで、チューブ５から下部連座９が外れにくくなり、チューブ５からの活物質の漏れ出しを顕著に低減することができる。また、チューブ５の延長線上に下部連座９の貫通孔１５を形成し、嵌入工程において、この貫通孔１５内に芯金６を配置させていることで、芯金６が偏心せずにチューブ５の径方向中心に位置しやすくなる。これにより、活物質の利用率を向上させることができる。
【００４０】
本明細書で開示される技術は上記記述及び図面によって説明した実施形態に限定されるものではなく、例えば次のような実施形態も含まれる。
【００４１】
（１）上述した実施形態においては、封口工程において、下部連座９自身を融解させて、貫通孔１５を封口しつつ、下部連座９が芯金６から外れるのを規制していたが、下部連座９とは異なる樹脂材料の融解物を固化させて貫通孔１５を封口しつつ、下部連座９が芯金６から外れるのを規制してもよい。
【００４２】
（２）上述した実施形態においては、封口工程において、下部連座９を融解後に固化させて、貫通孔１５を封口しつつ、下部連座９が芯金６から外れるのを規制していたが、凸部２３が形成された封口部材２２を、例えば弾性部材などにより別に作製し、図５に示すように、貫通孔１５に封口部材２２を嵌合することで、貫通孔１５を封口しつつ、芯金６の凹部１８に封口部材２２の凸部２３を嵌合させて、下部連座９が芯金６から外れるのを規制してもよい。
【００４３】
（３）上述した実施形態及び変形例においては、芯金６の全周に亘って凹部１８を形成し、封口物２２（もしくは融解痕１３）に凹部１８に対応する凸部１９を形成して、両者を嵌合させていたが、嵌合させる形状はいかなる形状であってもよい。例えば、図６に示すように、芯金６に凸部２５が形成されており、封口物２２（もしくは融解痕１３）に凸部２５と係合可能な凹部２６が形成されていてもよい。また、凸部や凹部は全周に亘って形成されていてもよいし、一部にのみ形成されていてもよい。また、１つであってもよいし、複数であってもよい。さらに、嵌合に限らず、下部連座９が芯金６から外れるのを規制する係合形状であれば、どのような形状であってもよい。例えば、図７に示すように、芯金６に凹部１８が形成されており、封口物２２（もしくは融解痕１３）に凹部１８の先端に係合し、芯金６から外れるのを規制する突起２４が形成されていてもよい。
【００４４】
（４）上述した実施形態においては、下部連座９に貫通孔１５が形成されており、貫通孔１５を封口する部材にて芯金６と係合させていたが、図８に示すように、貫通孔が形成されていない下部連座２７に凸部２８が形成されており、芯金６に凸部２８と係合可能な凹部２９が形成されていてもよい。この場合、クラッド式の正極板形成工程としては、チューブ５にノズルを装着し、このノズルから活物質の原料と希硫酸とを混練したスラリーをチューブ５内へ充填する（充填工程）。その後、下部連座２７の突出部３０をチューブ５の開口に嵌入して、チューブ５に対して下部連座２７を接続する（嵌入工程）。この工程時に合わせて、下部連座２７の凸部２８と芯金６の凹部２９とを係合させる。これによると、下部連座２７を嵌入する際に合わせて芯金６と下部連座２７とを係合させているため、製造工程を簡略化することができ、且つ、製造時間を短縮することができる。
【００４５】
（５）上述した実施形態においては、芯金６が下部連座９の貫通孔１５内まで延在していたが、芯金６は貫通孔１５内まで延在していなくてもよい。この場合、芯金６と下部連座９は、貫通孔１５の外側にて係合されていればよい。
【００４６】
（６）上述した実施形態においては、下部連座９の貫通孔１５は、チューブ５の延長線上に延在していたが、貫通孔１５は、下部連座９がチューブ５に接続された状態において、下部連座９を介して、チューブ５内と外部とを連通させていればよい。
【００４７】
（７）上述した実施形態においては、下部連座９は樹脂材料により形成されていたが、いかなる材料で形成されてもよく、例えば、上部連座８と同じ鉛合金により形成されてもよい。仮に、下部連座が上部連座８と同じ鉛合金により形成されており、且つ、芯金が下部連座の貫通孔内まで延在していれば、封口工程において、下部連座を融解して芯金と接触させると、下部連座と芯金が一体となる。これにより、下部連座と芯金との接続強度を高めることができる。
【００４８】
（８）上述した実施形態において、下部連座９の貫通孔１５は、テーパ部１５を有していたが、下部連座９の貫通孔１５に対してノズル２０を装着して固定できれば、貫通孔１５はどのような形状であってもよく、上述した実施形態のようにテーパ部１５を有していなくてもよい。例えば、貫通孔は、下部連座の上端から下端まで同径の円筒部であってもよい。また、貫通孔は、下部連座の上端から下方に向かうにつれて径が大きくなる逆テーパ部と、逆テーパ部の最大径の端部と同径のまま下端まで延在する円筒部と、を有してもよい。上述した２つの変形例では、上述した実施形態よりもテーパ部１５に対応する部分の樹脂量が多い。そのため、封口工程において、下部連座の貫通孔をより確実に塞ぐことができ、チューブ内からの活物質の漏れを抑制することができる。
【００４９】
（９）上述した実施形態においては、充填工程において、活物質の原料に希硫酸を混練したスラリーを充填していたが、希硫酸を混練していない活物質の原料を入れてもよい。すなわち、湿式充填法に限らず、乾式充填法も本明細書で開示される技術に含まれる。
【符号の説明】
【００５０】
１  鉛蓄電池
４  正極板
５  チューブ
６  芯金
８  上部連座
９  下部連座（嵌入部材）
１３  融解痕（封口物）
１５  貫通孔
１７  融解物
１８  凹部（嵌合部）
１９  凸部
【図１】
2016103348.tif 000003
【図２】
2016103348.tif 000004
【図３】
2016103348.tif 000005
【図４】
2016103348.tif 000006
【図５】
2016103348.tif 000007
【図６】
2016103348.tif 000008
【図７】
2016103348.tif 000009
【図８】
2016103348.tif 000010